(57)【要約】【課題】開栓している感覚を使用者がより一層得ることができるキャップ付き容器を提供する。【解決手段】キャップ付き容器１Ａは、内容物が収容される有底筒状の容器本体２と、容器本体の口部２ａに装着されたキャップ３と、を備える。キャップは、口部の内側をシールする第１シール部１１と、口部に外嵌された第２シール部１３ｂと、を有し、キャップの内部には、キャップが口部に対して上昇して第１シール部が口部の内側を開放し、かつ第２シール部が口部に外嵌した状態において、外部と容器本体の内部とを連通させる流路が形成される。流路には、一端が固定端３１とされ、他端が自由端３２とされた薄膜片３０が設けられている。自由端は、流路を気体が流れる方向における固定端に対する上流側に位置している。【選択図】図１
2020001782.tif 000002
【特許請求の範囲】
【請求項１】
内容物が収容される有底筒状の容器本体と、
前記容器本体の口部に装着されたキャップと、を備え、
前記キャップは、前記口部の内側をシールする第１シール部と、前記口部に外嵌された第２シール部と、を有し、
前記キャップの内部には、前記キャップが前記口部に対して上昇して前記第１シール部が前記口部の内側を開放し、かつ前記第２シール部が前記口部に外嵌した状態において、外部と前記容器本体の内部とを連通させる流路が形成され、
前記流路には、一端が固定端とされ、他端が自由端とされた薄膜片が設けられており、
前記自由端は、前記流路を気体が流れる方向における前記固定端に対する上流側に位置している、キャップ付き容器。
【請求項２】
前記キャップの内部には、前記薄膜片との間に前記流路の一部を形成する案内部が設けられ、
前記案内部と前記薄膜片との間における前記流路の流路軸方向から見て、前記案内部は、前記薄膜片に向けて開口するＣ字状に形成されている、請求項１に記載のキャップ付き容器。
【発明の詳細な説明】
【技術分野】
【０００１】
本発明は、キャップ付き容器に関する。
【背景技術】
【０００２】
容器本体に装着されるキャップにおいては、開栓されたことを認識できるようにすることが求められている。例えば特許文献１のキャップは、容器本体の口部に離脱可能に螺着された有頂筒状の蓋本体と、蓋本体に破断可能な弱化部を介して連結され、口部の係止部に対して下方から係止する分離リングを有している（例えば、特許文献１参照）。このようなキャップでは、蓋本体の口部に対する螺着を解除することによって弱化部を破断して分離リングを蓋本体から分離させており、弱化部が破断する際に生じる破断音や破断時の感触によって、使用者が蓋体を開栓している感覚を得ることができる。
【先行技術文献】
【特許文献】
【０００３】
【特許文献１】特開２００７−２９７０９７号公報
【発明の概要】
【発明が解決しようとする課題】
【０００４】
しかしながら、上記従来のキャップ付き容器においても、開栓している感覚をより一層高めることに対する要求があった。
【０００５】
本発明はこのような事情を考慮してなされ、開栓している感覚を使用者がより一層得ることができるキャップ付き容器を提供することを目的とする。
【課題を解決するための手段】
【０００６】
上記課題を解決するために、本発明の一態様に係るキャップ付き容器は、内容物が収容される有底筒状の容器本体と、前記容器本体の口部に装着されたキャップと、を備え、前記キャップは、前記口部の内側をシールする第１シール部と、前記口部に外嵌された第２シール部と、を有し、前記キャップの内部には、前記キャップが前記口部に対して上昇して前記第１シール部が前記口部の内側を開放し、かつ前記第２シール部が前記口部に外嵌した状態において、外部と前記容器本体の内部とを連通させる流路が形成され、前記流路には、一端が固定端とされ、他端が自由端とされた薄膜片が設けられ、前記自由端は、前記流路を気体が流れる方向における前記固定端に対する上流側に位置している。
【０００７】
上記態様によれば、キャップが上昇して第１シール部が口部を開放し、かつ第２シール部が口部に外嵌した状態となると、キャップ内に形成された流路を通じて、容器本体と外部とが連通する。このため、容器本体内と外部との圧力差に応じて、外気が容器本体内に流入し、あるいは容器本体内の空気が外部に流出する。そして、流路には薄膜片が設けられており、薄膜片の一端は固定端とされ、他端は自由端とされている。このため、容器本体内の空気または外気（以下、単に気体という）が流路を自由端側から固定端側に向けて通過することに伴い、薄膜片が振動して音が生じる。
一方、容器本体内と外部との圧力差が解消されると、キャップを上昇させて第１シール部を開放させても、薄膜片による振動音は生じない。
以上の作用により、キャップが初めて開栓される場合に薄膜片の振動音を発生させることで、開栓している感覚をより一層高めることができる。また、２回目以降の開栓の場合には音の発生を抑制することができる。したがって、使用者に対して、キャップ付き容器の開栓、開封が初めてなされたことを強く感じさせて、容器本体内に収容されている内容物の新鮮さ（例えば内容物の鮮度が高い状態や鮮度が保たれた状態）を容易に認識させることができる。
【０００８】
ここで、前記キャップの内部には、前記薄膜片との間に前記流路の一部を形成する案内部が設けられ、前記案内部と前記薄膜片との間における前記流路の流路軸方向から見て、前記案内部は、前記薄膜片に向けて開口するＣ字状に形成されていてもよい。
【０００９】
この場合、流路のうち、薄膜片と案内部との間の部分を通る気体の勢いを強くして、薄膜片をより確実に振動させて音を発生させることができる。
【発明の効果】
【００１０】
本発明の上記態様によれば、容器本体が初めて開栓、開封されたことを強く認識させるとともに、容器本体内に収容されている内容物の新鮮さ（例えば内容物の鮮度が高い状態や鮮度が保たれた状態）を容易に認識させることができる。
【図面の簡単な説明】
【００１１】
【図１】第１実施形態に係るキャップ付き容器の縦断面図である。
【図２】図１の内キャップおよび外キャップを上昇させた状態を示す図である。
【図３】第２実施形態に係るキャップ付き容器の縦断面図である。
【発明を実施するための形態】
【００１２】
（第１実施形態）
以下、第１実施形態のキャップ付き容器について図面に基づいて説明する。
図１に示すように、キャップ付き容器１Ａは、内容物が収容される有底筒状の容器本体２と、キャップ３と、を備えている。
容器本体２に収容される内容物としては、例えば水のような発泡性のない液体などが挙げられるが、このような液体に限定されず、ゲル状や固体状の内容物など他の形態の内容物であってもよい。また、内容物としては、特に飲料や食品のような鮮度を要求されるものが好適に挙げられる。容器本体２にキャップ３が装着されることで、容器本体２内が密封可能となっている。
キャップ３は、容器本体２の口部２ａに装着された内キャップ１０と、内キャップ１０を覆う外キャップ２０と、を有している。内キャップ１０および外キャップ２０は、有頂筒状に形成されている。
【００１３】
（方向定義）
ここで本実施形態では、内キャップ１０および外キャップ２０の各中心軸は共通の中心軸線上に配置されている。以下、この共通の中心軸線をキャップ軸Ｏといい、キャップ軸Ｏに沿う方向を上下方向という。キャップ軸Ｏ（上下方向）に沿う断面を縦断面という。また、上下方向に沿う容器本体２の底部側を下方といい、外キャップ２０の頂壁２１側を上方という。
また、上下方向から見た平面視において、キャップ軸Ｏに交差する方向を径方向といい、キャップ軸Ｏ回りに周回する方向を周方向という。
【００１４】
（内キャップ）
内キャップ１０は、第１シール部１１と、フランジ部１２と、内筒１３と、リング部１５と、を有している。
第１シール部１１は有底筒状に形成されるとともに、容器本体２の口部２ａ内に嵌合されている。第１シール部１１により、口部２ａの内側がシールされている。
【００１５】
本実施形態では、容器本体２の内部が負圧（減圧）状態となっている。容器本体２内を負圧にする方法としては、減圧された雰囲気化で容器本体２に内容物を充填し、第１シール部１１により口部２ａをシールしてもよい。このとき、容器本体２を、その内部を負圧とすることで変形させてもよい。また、容器本体２が減圧収縮状態で、口部２ａにキャップ３を装着することで、容器本体２を負圧としてもよい。
あるいは、内容物または空気を高温状態としたまま容器本体２に充填して、第１シール部１１により口部２ａをシールしてもよい。この場合、キャップ付き容器１Ａが流通・保管されている間に、内容物または空気が冷却されて熱収縮することで、容器本体２の内部が負圧状態となる。
【００１６】
フランジ部１２は、第１シール部１１の上端部から径方向外側に向けて延びている。フランジ部１２は、口部２ａの上端開口縁に対して、その上方から当接若しくは近接している。
内筒１３は、フランジ部１２の外周縁から下方に向けて延びており、円筒状に形成されている。内筒１３の内周面には、容器本体２の口部２ａに形成された雄ネジ部に螺着される雌ネジ部が形成されている。
【００１７】
内筒１３の下端部には、第２シール部１３ｂが形成されている。第２シール部１３ｂは、容器本体２の口部２ａに設けられた嵌合部２ｂに外嵌されている。第２シール部１３ｂにより内筒１３と口部２ａとの間がシールされることで、内筒１３と口部２ａとの間から空気が容器本体２内に流入することが抑制されている。
【００１８】
第２シール部１３ｂと嵌合部２ｂとの上下方向における嵌合の長さは、第１シール部１１と口部２ａとの上下方向における嵌合の長さよりも大きい。このため、内キャップ１０を口部２ａに対して上昇させると、第２シール部１３ｂの嵌合部２ｂに対する嵌合が解除される前に、第１シール部１１が口部２ａから離脱する。つまり、第２シール部１３ｂが口部２ａに外嵌されたまま、第１シール部１１が口部２ａの内側を開放した状態となる。
【００１９】
内筒１３の外周面には、径方向内側に向けて窪み、上下方向に延びる縦溝１３ｃが形成されている。縦溝１３ｃは、周方向に間隔を空けて複数形成されている。
フランジ部１２の上面には、下方に向けて窪む溝１１ａが形成されている。溝１１ａは、フランジ部１２の内周縁から外周縁にわたって、径方向に延びている。
内筒１３の上端部には、内筒１３を径方向に貫通する貫通孔１３ａが形成されている。貫通孔１３ａは、溝１１ａに連なっている。溝１１ａおよび貫通孔１３ａにより、内筒１３の内側の空間と、第１シール部１１の上方の空間とが連通している。
【００２０】
リング部１５は、環状に形成されており、内筒１３の下方に位置している。リング部１５の内周面には、径方向内側に向けて突出する係合部１５ａが形成されている。係合部１５ａは、径方向内側に向かうに従って漸次上方に向けて延びている。係合部１５ａの径方向内端部は、容器本体２の嵌合部２ｂに対して、上下方向で対向している。
【００２１】
内筒１３とリング部１５との間には、弱化部１４が設けられている。弱化部１４は、周方向に間隔を空けて複数形成されており、リング部１５を内筒１３の下端部に接続している。また、弱化部１４の肉厚は内筒１３およびリング部１５の肉厚よりも小さくなっている。このため、弱化部１４は破断されやすくなっている。キャップ３が容器本体２に対して上昇すると、係合部１５ａが容器本体２の嵌合部２ｂにその下方から当接することで、弱化部１４に上下方向の引っ張り応力が作用する。この引っ張り応力によって弱化部１４が破断されるため、キャップ３を容器本体２から取り外した場合には、リング部１５が口部２ａに残ることとなる。
【００２２】
（外キャップ）
図１に示すように、外キャップ２０は、頂壁２１と、中筒部２２と、案内部２３と、外筒２４と、ヒンジ２５と、蓋部２６と、を有している。
蓋部２６は、有頂筒状に形成されており、頂壁２１、中筒部２２、および案内部２３を覆っている。ヒンジ２５は、蓋部２６と外筒２４とを回動可能に連結している。蓋部２６のうち、キャップ軸Ｏを径方向で挟むヒンジ２５の反対側には、外気導入溝２６ａが形成されている。外気導入溝２６ａは、蓋部２６の下端開口縁から上方に向けて窪んでおり、蓋部２６の内側と外側とを連通させている。
【００２３】
なお、蓋部２６は中筒部２２、案内部２３、および薄膜片３０（後述）などを外部から見えないようにするために設けられているが、容器本体２の内容物を取り出す際に、蓋部２６を開く必要はない。このため、蓋部２６には操作部などが設けられていない。なお、外キャップ２０はヒンジ２５および蓋部２６を有していなくてもよい。
【００２４】
頂壁２１は、内キャップ１０の第１シール部１１およびフランジ部１２をその上方から覆っている。頂壁２１の径方向中央部には、下方に向けて窪む凹部２１ａが形成されている。凹部２１ａは、平面視で環状に形成されており、その内側が連通孔２１ｂとされている。つまり、連通孔２１ｂは、頂壁２１の径方向中央部を上下方向に貫通している。
【００２５】
連通孔２１ｂの上方の開口縁には、上方に向けて突出する中筒部２２が形成されている。中筒部２２の内部は、連通孔２１ｂ内に連なっている。
案内部２３は、平面視において、周方向で分割された筒状に形成されており、中筒部２２から上方に向けて延びている。案内部２３の上端部は、連通孔２１ｂをその上方から覆うように湾曲している。
【００２６】
外筒２４は、頂壁２１の外周縁から下方に向けて延びる円筒状に形成されている。外筒２４は、内キャップ１０の内筒１３を径方向外側から囲っている。外筒２４には、径方向内側に向けて突出し、上下方向に延びる縦リブ２４ａが形成されている。縦リブ２４ａは、周方向に間隔を空けて複数設けられている。縦リブ２４ａは、内キャップ１０の縦溝１３ｃの内側に位置している。これにより、外キャップ２０の内キャップ１０に対するキャップ軸Ｏ回りの相対的な回転は規制されている。したがって、外キャップ２０を容器本体２に対してキャップ軸Ｏ回りに回転させると、外キャップ２０および内キャップ１０が一体となってキャップ軸Ｏ回りに回転する。
【００２７】
図２の破線で示すように、外気導入溝２６ａ、案内部２３、中筒部２２、連通孔２１ｂ、溝１１ａ、および貫通孔１３ａは、内キャップ１０および外キャップ２０が容器本体２に対して上昇して、第１シール部１１が口部２ａの内側を開放したときに、外部と容器本体２内とを連通させる流路Ｒを構成している。
【００２８】
（薄膜片）
そして本実施形態では、上記した流路Ｒに、薄膜片３０が設けられている。薄膜片３０は、中筒部２２の内側（連通孔２１ｂの内側）に、超音波接着により固定されている。なお、薄膜片３０を固定する方法は、接着または溶着などであってもよい。薄膜片３０は、上下方向に延びている。薄膜片３０は、下端部が中筒部２２に固定されているが、上端部は固定されていない。つまり、薄膜片３０の一端は固定端３１とされ、他端は自由端３２とされている。薄膜片３０の材質としては、樹脂などを用いることができる。
【００２９】
薄膜片３０は、案内部２３に対して径方向で対向している。薄膜片３０は、案内部２３との間に、先述の流路Ｒの一部を形成している。薄膜片３０の自由端３２は、案内部２３の上端部から径方向に離れている。
図示は省略するが、案内部２３と薄膜片３０との間における流路Ｒの流路軸方向から見て、案内部２３は、薄膜片３０に向けて開口するＣ字状に形成されている。このＣ字状の開口を、薄膜片３０が部分的に覆った状態となっている。なお、上記流路軸方向は、キャップ軸Ｏに沿っており、上下方向と一致している。
【００３０】
（作用）
キャップ付き容器１Ａの出荷時の状態では、図１に示すように、第１シール部１１および第２シール部１３ｂが双方とも閉塞されている。このため、容器本体２内と外部との連通は遮断されており、容器本体２の内部は密閉状態となっている。
キャップ３を取り外す際には、キャップ３を容器本体２に対して緩み方向に回転させる。これにより、容器本体２に対して内キャップ１０および外キャップ２０が上昇して、第１シール部１１が口部２ａから上方に離脱し、第１シール部１１が開放される（図２参照）。第１シール部１１が開放される時点では、第２シール部１３ｂは開放されない。
【００３１】
ここで本実施形態では、容器本体２の内部は、負圧（減圧）状態となっている。つまり、容器本体２内とキャップ付き容器１Ａの外部とでは、圧力の差（差圧）が生じている。このため、第１シール部１１が開放されると、キャップ３に形成された流路Ｒを通じて、外気が容器本体２内へと流入する（図２参照）。この流路Ｒに薄膜片３０が設けられており、薄膜片３０の一端は固定端３１とされ、他端は自由端３２とされている。薄膜片３０と案内部２３との間の流路Ｒにおいて、自由端３２から固定端３１に向かうように流れる。つまり、自由端３２は、流路Ｒを気体が流れる方向における固定端３１に対する上流側に位置している。このため、薄膜片３０が管楽器などのリードのように作用し、薄膜片３０の自由端３２は外気の流入に伴って振動する。そして、この振動によって音が生じる。
【００３２】
このように、本実施形態では、容器本体２の内部と外部との圧力の差によって薄膜片３０を振動させて音を生じさせる。したがって、容器本体２の負圧状態が解消された後は、キャップ３を操作しても音が生じない。したがって、使用者は、キャップ３を容器本体２から取り外す際に、薄膜片３０の振動音が生じることによって、初めての開栓操作であることを認識することができる。これにより、使用者に対して、容器本体２の内容物が新鮮であるという安心感を与えることができる。
【００３３】
なお先述の通り、内キャップ１０が容器本体２の口部２ａに対して上昇するときに、弱化部１４が破断されてリング部１５が口部２ａに残る。このため、弱化部１４が破断される際の音によっても、初めての開栓であることを使用者に認識させることができる。
【００３４】
また、キャップ３には、薄膜片３０との間に流路Ｒの一部を形成する案内部２３が設けられている。このため、流路Ｒのうち、薄膜片３０と案内部２３との間の部分を通る気体の勢いが強くなり、薄膜片３０をより確実に振動させて音を発生させることができる。
【００３５】
（第２実施形態）
次に、本発明に係る第２実施形態について説明するが、第１実施形態と基本的な構成は同様である。このため、同様の構成には同一の符号を付してその説明は省略し、異なる点についてのみ説明する。
【００３６】
図３に示すように、本実施形態におけるキャップ付き容器１Ｂでは、外キャップ２０の凹部２１ａが、頂壁２１から上方に向けて窪んでいる。また、中筒部２２は、連通孔２１ｂの下方の開口縁から下方に向けて突出し、案内部２３は中筒部２２から下方に向けて延びている。案内部２３の下端部は、連通孔２１ｂを下方から覆うように湾曲している。
薄膜片３０の上端部は、中筒部２２の内面（連通孔２１ｂの内面）に固定されることで、固定端３１とされている。薄膜片３０の下端部は自由端３２とされている。
【００３７】
本実施形態では、容器本体２の内部が陽圧状態となっている。容器本体２内を陽圧にする方法としては、内容物を容器本体２に充填した後、加圧された雰囲気下でキャップ３を容器本体２に装着させてもよい。
また、炭酸飲料のような発泡性の液体を内容物とした場合に、キャップ付き容器１Ｂが流通・保管されている間に、内容物に溶けている気体が液体から分離することで、容器本体２内を陽圧としてもよい。
あるいは、内容物を充填する際に、容器本体２内の内容物や空気を低温状態にしてもよい。この場合、キャップ付き容器１Ｂが流通・保管されている間に、内容物や空気が膨張することで、容器本体２内を陽圧にすることができる。
あるいは、容器本体２の容積を増加させた状態でキャップ３を装着し、容器本体２が通常の容積に復元することで、容器本体２内を陽圧としてもよい。
【００３８】
本実施形態の場合、第１シール部１１の開放に伴い、容器本体２内の空気が、キャップ３内の流路を通って排出される。このとき、空気は、薄膜片３０と案内部２３との間の流路において、自由端３２から固定端３１に向かうように流れる。つまり、自由端３２は、流路を気体が流れる方向における固定端３１に対する上流側に位置している。したがって、薄膜片３０が管楽器などのリードのように作用し、音が生じる。
本実施形態のような構成でも、第１実施形態と同様の作用効果を得ることができる。
【００３９】
なお、本発明の技術的範囲は前記実施の形態に限定されず、本発明の趣旨を逸脱しない範囲において種々の変更を加えることが可能である。
【００４０】
例えば、前記実施形態では、リング部１５が弱化部１４によって接続されていたが、キャップ３はこのようなリング部１５および弱化部１４を備えていなくても良い。この場合でも、薄膜片３０により発生する音によって、開栓操作が初めて行われたことを使用者に認識させることができる。
【００４１】
また、前記実施形態では、溝１１ａおよび貫通孔１３ａによって、第１シール部１１が開放されたときに外部と容器本体２の内部とを連通させた。しかしながら、この形態を適宜変更してもよい。例えば、溝１１ａの一部または全部が、フランジ部１２を上下方向に貫通するように形成してもよい。この場合、内筒１３に貫通孔１３ａを形成しなくても、溝１１ａを通じて外気を容器本体２内に流入させることができる。
【００４２】
その他、本発明の趣旨を逸脱しない範囲で、上記した実施の形態における構成要素を周知の構成要素に置き換えることは適宜可能であり、また、上記した実施形態や変形例を適宜組み合わせてもよい。
【符号の説明】
【００４３】
１Ａ、１Ｂ…キャップ付き容器  ２…容器本体  ２ａ…口部  ３…キャップ  ２３…案内部  ３０…薄膜片  ３１…固定端  ３２…自由端  Ｒ…流路
【図１】
2020001782.tif 000003
【図２】
2020001782.tif 000004
【図３】
2020001782.tif 000005